【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
複数枚のシートを搬送路に向けて１枚ずつ順次給送する給送部と、
前記給送部からのシートを前記搬送路に沿って搬送する搬送部と、
前記給送部のシート送り速度Ｖｆ及び前記搬送部のシート送り速度Ｖｍを制御する送り速度制御部と、
前記給送部及び前記搬送部のシート送り速度比をＣ１＝Ｖｆ／Ｖｍとした第１送りモードと、前記第１送りモードよりもシート送り量が小さいモードであって且つ前記給送部及び前記搬送部のシート送り速度比をＣ２＝Ｖｆ´／Ｖｍ´とした第２送りモードとを切り替える送りモード切替制御部とを備え、
前記送りモード切替制御部による前記第１送りモードから前記第２送りモードへのモード切替に基づいて、前記送り速度制御部が前記給送部及び前記搬送部のシート送り速度比をＣ１からＣ２に制御することを特徴とするシート搬送装置。
【請求項２】
前記送り速度制御部は、前記給送部のシート送り速度を前記搬送部のシート送り速度よりも小さい条件に制御することで、先行シートと後続シートとの間隔を形成することを特徴とする請求項１に記載のシート搬送装置。
【請求項３】
前記第１送りモードのシート送り速度比Ｃ１はＣ１＜１の条件を満たし、且つ前記第２送りモードのシート送り速度比Ｃ２はＣ２＝１の条件を満たすことを特徴とする請求項１又は２に記載のシート搬送装置。
【請求項４】
前記第１送りモードのシート送り速度比Ｃ１と、前記第２送りモードのシート送り速度比Ｃ２との関係は、Ｃ１＜Ｃ２＜１の条件を満たすことを特徴とする請求項１又は２に記載のシート搬送装置。
【請求項５】
前記第２送りモードは、前記第１送りモードで送るシートよりも薄手シートを送るモードとして設けられていることを特徴とする請求項１〜４のいずれか１項に記載のシート搬送装置。
【請求項６】
前記給送部と前記搬送部との間に設けられて前記給送部から給送されるシートを検出する検出部を更に備え、
前記送り速度制御部は、前記検出部の検出結果に基づいて前記給送部での給送動作の停止又は減速制御を実行後に、再起動又は再加速制御することを特徴とする請求項１〜５のいずれか１項に記載のシート搬送装置。
【請求項７】
前記送り速度制御部は、前記検出部の検出結果に基づいて前記給送部による給送動作の再加速制御を行って前記給送部から前記搬送部へのシート送りの受け渡しを行うよう制御することを特徴とする請求項６に記載のシート搬送装置。
【請求項８】
前記送り速度制御部は、前記給送部による給送動作の停止又は減速と、その後の再加速とを繰り返し制御することにより、先行シートと後続シートとのシート間隔を作るようにしたことを特徴とする請求項６又は７に記載のシート搬送装置。
【請求項９】
前記送り速度制御部は、前記検出部の検出結果に基づいて前記検出部の検出位置又はその下流位置でシートの給送動作を一時停止し、前記給送部での給送動作を再開制御することを特徴とする請求項６〜８のいずれか１項に記載のシート搬送装置。
【請求項１０】
前記給送部は、前記複数枚のシートからシートを１枚ずつ分離する分離ローラと当該分離ローラと対向配置される送りローラとの間でシートを挟みながら給送するものであることを特徴とする請求項１〜９のいずれか１項に記載のシート搬送装置。
【請求項１１】
複数枚のシートを搬送路に向けて１枚ずつ順次給送する給送部と、
前記給送部からのシートを前記搬送路に沿って搬送する搬送部と、
前記給送部のシート送り速度Ｖｆ及び前記搬送部のシート送り速度Ｖｍを制御する送り速度制御部と、
前記給送部及び前記搬送部のシート送り速度比をＣ１＝Ｖｆ／Ｖｍとした第１送りモードと、前記第１送りモードよりもシート送り量が小さいモードであって且つ前記給送部及び前記搬送部のシート送り速度比をＣ２＝Ｖｆ´／Ｖｍ´とした第２送りモードとを切り替える送りモード切替制御部とを備えるシート搬送装置を制御するに際し、
前記送りモード切替制御部による前記第１送りモードから前記第２送りモードへのモード切替に基づいて、前記送り速度制御部が前記給送部及び前記搬送部のシート送り速度比をＣ１からＣ２に制御することを特徴とするシート搬送装置の制御方法。
【請求項１２】
複数枚のシートを搬送路に向けて１枚ずつ順次給送する給送部と、
前記給送部からのシートを前記搬送路に沿って搬送する搬送部と、
前記搬送路に設けられ、搬送されるシートの情報を読み取る情報読取部と、
前記給送部のシート送り速度Ｖｆ及び前記搬送部のシート送り速度Ｖｍを制御する送り速度制御部と、
前記給送部及び前記搬送部のシート送り速度比をＣ１＝Ｖｆ／Ｖｍとした第１送りモードと、前記第１送りモードよりもシート送り量が小さいモードであって且つ前記給送部及び前記搬送部のシート送り速度比をＣ２＝Ｖｆ´／Ｖｍ´とした第２送りモードとを切り替える送りモード切替制御部とを備え、
前記送りモード切替制御部による前記第１送りモードから前記第２送りモードへのモード切替に基づいて、前記送り速度制御部が前記給送部及び前記搬送部のシート送り速度比をＣ１からＣ２に制御することを特徴とするシート情報読取装置。
【手続補正２】
【補正対象書類名】明細書
【補正対象項目名】０００８
【補正方法】変更
【補正の内容】
【０００８】
本発明に係るシート搬送装置は、複数枚のシートを搬送路に向けて１枚ずつ順次給送する給送部と、前記給送部からのシートを前記搬送路に沿って搬送する搬送部と、前記給送部のシート送り速度Ｖｆ及び前記搬送部のシート送り速度Ｖｍを制御する送り速度制御部と、前記給送部及び前記搬送部のシート送り速度比をＣ１＝Ｖｆ／Ｖｍとした第１送りモードと、前記第１送りモードよりもシート送り量が小さいモードであって且つ前記給送部及び前記搬送部のシート送り速度比をＣ２＝Ｖｆ´／Ｖｍ´とした第２送りモードとを切り替える送りモード切替制御部とを備え、前記送りモード切替制御部による前記第１送りモードから前記第２送りモードへのモード切替に基づいて、前記送り速度制御部が前記給送部及び前記搬送部のシート送り速度比をＣ１からＣ２に制御することを特徴とする。
【手続補正３】
【補正対象書類名】明細書
【補正対象項目名】００１３
【補正方法】変更
【補正の内容】
【００１３】
また、本発明は、  複数枚のシートを搬送路に向けて１枚ずつ順次給送する給送部と、前記給送部からのシートを前記搬送路に沿って搬送する搬送部と、前記給送部のシート送り速度Ｖｆ及び前記搬送部のシート送り速度Ｖｍを制御する送り速度制御部と、前記給送部及び前記搬送部のシート送り速度比をＣ１＝Ｖｆ／Ｖｍとした第１送りモードと、前記第１送りモードよりもシート送り量が小さいモードであって且つ前記給送部及び前記搬送部のシート送り速度比をＣ２＝Ｖｆ´／Ｖｍ´とした第２送りモードとを切り替える送りモード切替制御部とを備えるシート搬送装置を制御するに際し、前記送りモード切替制御部による前記第１送りモードから前記第２送りモードへのモード切替に基づいて、前記送り速度制御部が前記給送部及び前記搬送部のシート送り速度比をＣ１からＣ２に制御することを特徴とするシート搬送装置の制御方法も対象としている。
【手続補正４】
【補正対象書類名】明細書
【補正対象項目名】００１４
【補正方法】変更
【補正の内容】
【００１４】
さらに、本発明は、複数枚のシートを搬送路に向けて１枚ずつ順次給送する給送部と、前記給送部からのシートを前記搬送路に沿って搬送する搬送部と、前記搬送路に設けられ、搬送されるシートの情報を読み取る情報読取部と、前記給送部のシート送り速度Ｖｆ及び前記搬送部のシート送り速度Ｖｍを制御する送り速度制御部と、前記給送部及び前記搬送部のシート送り速度比をＣ１＝Ｖｆ／Ｖｍとした第１送りモードと、前記第１送りモードよりもシート送り量が小さいモードであって且つ前記給送部及び前記搬送部のシート送り速度比をＣ２＝Ｖｆ´／Ｖｍ´とした第２送りモードとを切り替える送りモード切替制御部とを備え、前記送りモード切替制御部による前記第１送りモードから前記第２送りモードへのモード切替に基づいて、前記送り速度制御部が前記給送部及び前記搬送部のシート送り速度比をＣ１からＣ２に制御することを特徴とするシート情報読取装置も対象とする。